(57)【要約】【課題】液室の配列数が多いときにも、生産性良く製造できる構造の電気泳動表示装置を提供する。【解決手段】下部基板２と、下部基板２と対向する上部基板と、下部基板２と上部基板との間に位置しシアン電気泳動分散液１６が設置された複数のシアン液室７と、複数のシアン液室７を互いに接続しシアン開口部３２と接続するシアン配管３１と、下部基板２と上部基板との間に位置しマゼンタ電気泳動分散液１７が設置された複数のマゼンタ液室８と、複数のマゼンタ液室８を互いに接続し、マゼンタ開口部３５と接続するマゼンタ配管２７と、を有する。【選択図】図３
2016218338.tif 000002
【特許請求の範囲】
【請求項１】
第１基板と、
前記第１基板と対向する第２基板と、
前記第１基板と前記第２基板との間に位置し第１電気泳動分散液が設置された複数の第１室と、
複数の前記第１室を互いに接続し第１開口部と接続する第１配管と、
前記第１基板と前記第２基板との間に位置し第２電気泳動分散液が設置された複数の第２室と、
複数の前記第２室を互いに接続し、第２開口部と接続する第２配管と、を有することを特徴とする電気泳動表示装置。
【請求項２】
請求項１に記載の電気泳動表示装置であって、
前記第１基板の厚み方向からの平面視で前記第１配管と前記第２配管とが交差しないことを特徴とする電気泳動表示装置。
【請求項３】
請求項１または２に記載の電気泳動表示装置であって、
前記第１基板は第１辺及び第２辺を有し、前記第１配管は前記第１辺に設置された第１開口部と前記第１室とを接続し、前記第２配管は前記第２辺に設置された第２開口部と前記第２室とを接続することを特徴とする電気泳動表示装置。
【請求項４】
請求項１〜３のいずれか一項に記載の電気泳動表示装置であって、
前記第１基板と前記第２基板との間に位置し第３電気泳動分散液が設置された複数の第３室と、
複数の前記第３室を接続する第３配管を有し、
前記第１室、前記第２室、前記第３室、前記第２室の順番を繰り返して前記第１室、前記第２室及び前記第３室が設置され、
前記第１基板の厚み方向からの平面視で前記第１配管、前記第２配管及び前記第３配管が交差しないことを特徴とする電気泳動表示装置。
【請求項５】
請求項４に記載の電気泳動表示装置であって、
前記第１基板の厚み方向からの平面視で前記第１室の面積と前記第３室の面積とは同じであり、
前記第３室を挟む２つの前記第２室の面積の和は前記第１室の面積と同じであることを特徴とする電気泳動表示装置。
【請求項６】
請求項５に記載の電気泳動表示装置であって、
前記第３室を挟む２つの前記第２室の形状は同じ形状であることを特徴とする電気泳動表示装置。
【請求項７】
請求項３に記載の電気泳動表示装置であって、
前記第２室と前記第２配管とを加算した長さが前記第１室と前記第１配管とを加算した長さより長いとき、
前記第２開口部の個数は、前記第１開口部の個数より多いことを特徴とする電気泳動表示装置。
【請求項８】
請求項１〜７のいずれか一項に記載の電気泳動表示装置であって、
前記第１室は画素部と断面積が前記画素部より狭い狭部とが交互に配置されており、
前記第１電気泳動分散液は白粒子と直径が前記白粒子より小さい色粒子とを含み、
前記白粒子は前記狭部を通過せず、前記色粒子は前記狭部を通過することを特徴とする電気泳動表示装置。
【請求項９】
請求項８に記載の電気泳動表示装置であって、
前記第１電気泳動分散液は黒粒子を含み、
前記黒粒子は前記狭部を通過しないことを特徴とする電気泳動表示装置。
【請求項１０】
第１基板上に複数の第１室と、複数の前記第１室を互いに接続し前記第１室と前記第１基板の辺に位置する第１開口部とを接続する第１配管と、複数の第２室と、複数の前記第２室を互いに接続し前記第２室と前記第１基板の辺に位置する第２開口部とを接続する第２配管と、を区画する隔壁を設置し、
前記隔壁と第２基板とを接着し、
前記第１開口部から前記第１配管を経て複数の前記第１室に第１電気泳動分散液を充填し、
前記第２開口部から前記第２配管を経て複数の前記第２室に第２電気泳動分散液を充填し、
前記第１開口部及び前記第２開口部を封止することを特徴とする電気泳動表示装置の製造方法。
【請求項１１】
請求項１０に記載の電気泳動表示装置の製造方法であって、
前記第１室及び前記第２室は画素部と断面積が前記画素部より狭い狭部とが交互に配置されており、
前記隔壁と前記第２基板とを接着する前に行われ、
前記第１室及び前記第２室には前記狭部を通過しない白粒子を設置することを特徴とする電気泳動表示装置の製造方法。
【請求項１２】
表示部と、
前記表示部が表示する情報を供給する制御部と、を備え、
前記表示部は請求項１〜９のいずれか一項に記載の電気泳動表示装置であることを特徴とする電子機器。
【発明の詳細な説明】
【技術分野】
【０００１】
本発明は、電気泳動表示装置、電気泳動表示装置の製造方法および電子機器に関するものである。
【背景技術】
【０００２】
電荷を有する粒子が分散媒中を移動する電気泳動表示装置が広く知られている。電気泳動表示装置は画面のちらつきが少ないので、電子書籍を閲覧する表示装置等に用いられる。この電気泳動表示装置が特許文献１に開示されている。それによると、電気泳動表示装置は電極が設置された一対の基板を備えている。そして、電極間には格子状に立方体の液室が設置され、各液室は隔壁により区画されている。
【０００３】
各液室には２色の着色電気泳動粒子と分散媒を含む電気泳動分散液が設置されている。電気泳動粒子は帯電粒子または泳動粒子とも称す。この電気泳動表示装置では第１色帯電粒子を（−）に帯電させて、第２色帯電粒子を（＋）に帯電させている。そして、対向する基板に設置された電極に電圧を印加することにより、一方の電極に第１色帯電粒子が誘引され、他方の電極に第２色帯電粒子が誘引される。次に、電極の電圧を入れ替えることにより、第１色帯電粒子の位置と第２色帯電粒子の位置とが入れ替わる。
【０００４】
基板の間には隔壁部が設置され、隔壁部は分散媒を格子状に分割する。隔壁部により囲まれた液室が１つの画素となっている。そして、画素毎に第１色帯電粒子及び第２色帯電粒子の位置を制御して所定の図形を表示する。そして、各液室にシアン色帯電粒子、マゼンタ色帯電粒子、イエロー色帯電粒子を配置することによりカラー画像の表示を行った。
【先行技術文献】
【特許文献】
【０００５】
【特許文献１】特開２００８−６４８８８号公報
【発明の概要】
【発明が解決しようとする課題】
【０００６】
特許文献１における電気泳動表示装置はシアン色帯電粒子を含む列、マゼンタ色帯電粒子を含む列、イエロー色帯電粒子を含む列が順番に配列する配置になっていた。そして、各列毎に電気泳動分散液を導入する開口部が設置されていた。各列では液室が繋がっており電気泳動分散液が流動する。そして、開口部と供給口との位置を合わせて電気泳動分散液を供給していた。電気泳動表示装置に画像を表示するためには２００列を超える列が設置される。従って、各開口部と供給口との位置合わせは２００カ所以上の場所で合わせる必要があり調整が難しく生産性を低下させる要因になっていた。そこで、液室の配列数が多いときにも容易に電気泳動分散液を設置して、生産性良く製造できる構造の電気泳動表示装置が望まれていた。
【課題を解決するための手段】
【０００７】
本発明は、上述の課題を解決するためになされたものであり、以下の形態または適用例として実現することが可能である。
【０００８】
［適用例１］
本適用例にかかる電気泳動表示装置であって、第１基板と、前記第１基板と対向する第２基板と、前記第１基板と前記第２基板との間に位置し第１電気泳動分散液が設置された複数の第１室と、複数の前記第１室を互いに接続し第１開口部と接続する第１配管と、前記第１基板と前記第２基板との間に位置し第２電気泳動分散液が設置された複数の第２室と、複数の前記第２室を互いに接続し、第２開口部と接続する第２配管と、を有することを特徴とする。
【０００９】
本適用例によれば、電気泳動表示装置は第１基板及び第２基板を備えている。そして、第１基板と第２基板との間には複数の第１室及び第２室が設置されている。第１室には第１電気泳動分散液が設置され、第２室には第２電気泳動分散液が設置されている。第１電気泳動分散液及び第２電気泳動分散液は電圧を印加することにより表示色を切り替えることができる。第１電気泳動分散液が切り替わる色と第２電気泳動分散液が切り替わる色を異なる色にすることにより電気泳動表示装置をカラー表示にすることができる。
【００１０】
複数の第１室は第１配管により互いに接続されている。第１開口部から第１電気泳動分散液を供給して複数の第１室に第１電気泳動分散液を充填させることができる。同様に、複数の第２室は第２配管により互いに接続されている。第２開口部から第２電気泳動分散液を供給して複数の第２室に第２電気泳動分散液を充填させることができる。従って、複数の第１室の各室に個別に第１電気泳動分散液を充填するときに比べて少ない個数の第１開口部から第１室に第１電気泳動分散液を充填することができる。同様に、複数の第２室の各室に個別に第２電気泳動分散液を充填するときに比べて少ない個数の第２開口部から第２室に第２電気泳動分散液を充填することができる。従って、第１室及び第２室の個数が多いときにも開口部の個数が少ない為、電気泳動分散液を充填することができる。その結果、生産性良く電気泳動表示装置を製造することができる。
【００１１】
［適用例２］
上記適用例にかかる電気泳動表示装置において、前記第１基板の厚み方向からの平面視で前記第１配管と前記第２配管とが交差しないことを特徴とする。
【００１２】
本適用例によれば、電気泳動表示装置では第１基板の厚み方向からの平面視で第１配管と第２配管とが交差しない配置になっている。第１配管と第２配管とが交差するときに第１基板の厚み方向において第１基板と第２基板との距離に対する第１配管が占める距離の比率を第１交差時比率とする。第１配管と第２配管とが交差しないときには第１基板と第２基板との距離に対する第１配管が占める距離の比率を第１交差時比率より大きくすることができる。従って、第１電気泳動分散液が第１配管を流動するときの流体抵抗を小さくして流動し易くすることができる。
【００１３】
同様に、第１配管と第２配管とが交差するときに第１基板の厚み方向において第１基板と第２基板との距離に対する第２配管が占める距離の比率を第２交差時比率とする。第１配管と第２配管とが交差しないときには第１基板と第２基板との距離に対する第２配管が占める距離の比率を第２交差時比率より大きくすることができる。従って、第２電気泳動分散液が第２配管を流動するときの流体抵抗を小さくして流動し易くすることができる。その結果、生産性良く第１室に第１電気泳動分散液を充填し、第２室に第２電気泳動分散液を充填することができる。
【００１４】
［適用例３］
上記適用例にかかる電気泳動表示装置において、前記第１基板は第１辺及び第２辺を有し、前記第１配管は前記第１辺に設置された第１開口部と前記第１室とを接続し、前記第２配管は前記第２辺に設置された第２開口部と前記第２室とを接続することを特徴とする。
【００１５】
本適用例によれば、第１基板は第１辺及び第２辺を有している。第１辺には第１開口部が設置されている。第１配管は第１辺に設置された第１開口部と第１室とを接続する。第１辺を第１電気泳動分散液に浸し第１開口部から第１室に第１電気泳動分散液を充填することができる。同様に、第２辺には第２開口部が設置されている。第２配管は第２辺に設置された第２開口部と第２室とを接続する。第２辺を第２電気泳動分散液に浸し第２開口部から第２室に第２電気泳動分散液を充填することができる。従って、それぞれ異なる辺を電気泳動分散液に浸して電気泳動分散液を各室に充填する為、第１電気泳動分散液と第２電気泳動分散液とが混じることを抑制することができる。
【００１６】
［適用例４］
上記適用例にかかる電気泳動表示装置において、前記第１基板と前記第２基板との間に位置し第３電気泳動分散液が設置された複数の第３室と、複数の前記第３室を接続する第３配管を有し、前記第１室、前記第２室、前記第３室、前記第２室の順番を繰り返して前記第１室、前記第２室及び前記第３室が設置され、前記第１基板の厚み方向からの平面視で前記第１配管、前記第２配管及び前記第３配管が交差しないことを特徴とする。
【００１７】
本適用例によれば、電気泳動表示装置は第１電気泳動分散液が設置された複数の第１室、第２電気泳動分散液が設置された複数の第２室及び第３電気泳動分散液が設置された複数の第３室を備えている。これにより、電気泳動表示装置は３つの色を組み合わせた色を表示することができる。第１室、第２室、第３室、第２室、第１室…の順番に第１室、第２室及び第３室が設置されている。このとき、第１基板の厚み方向から平面視で第１配管、第２配管及び第３配管を交差させずに配置することができる。
【００１８】
第２配管が第１配管または第３配管と交差するときの第１基板の厚み方向において第１基板と第２基板との距離に対する第２配管が占める距離の比率を第３交差時比率とする。第２配管が第１配管または第３配管と交差しないときには第１基板と第２基板との距離に対する第２配管が占める距離の比率を第３交差時比率より大きくすることができる。従って、第２電気泳動分散液が第２配管を流動するときの流体抵抗を小さくして流動し易くすることができる。その結果、生産性良く第２室に第２電気泳動分散液を充填することができる。
【００１９】
［適用例５］
上記適用例にかかる電気泳動表示装置において、前記第１基板の厚み方向からの平面視で前記第１室の面積と前記第３室の面積とは同じであり、前記第３室を挟む２つの前記第２室の面積の和は前記第１室の面積と同じであることを特徴とする。
【００２０】
本適用例によれば、第１室の面積と、第３室の面積と、第３室を挟む２つの第２室の面積の和と、は同じ面積になっている。従って、単位面積にしめる第１室、第２室及び第３室の面積比率が同じ比率になる為、各色の調整をし易くすることができる。
【００２１】
［適用例６］
上記適用例にかかる電気泳動表示装置において、前記第３室を挟む２つの前記第２室の形状は同じ形状であることを特徴とする。
【００２２】
本適用例によれば、第３室を挟む２つの第２室の形状は同じ形状である。第３室を挟む２つの第２室を液体が流れるときのそれぞれの流体抵抗が同じになる。従って、第２室の一方の流体抵抗が小さいときに比べて短時間に第２電気泳動分散液を第２室に充填することができる。その結果、生産性良く第２電気泳動分散液を第２室に充填することができる。
【００２３】
［適用例７］
上記適用例にかかる電気泳動表示装置において、前記第２室と前記第２配管とを加算した長さが前記第１室と前記第１配管とを加算した長さより長いとき、前記第２開口部の個数は、前記第１開口部の個数より多いことを特徴とする。
【００２４】
本適用例によれば、第２室と第２配管とを加算した長さが第１室と第１配管とを加算した長さより長いとき第２開口部の個数は第１開口部の個数より多く設定されている。これにより第１開口部より多い個数の第２開口部から第２室と第２配管へ第２電気泳動分散液を供給できる。従って、第２室に第２電気泳動分散液を充填する時間が第１室に第１電気泳動分散液を充填する時間より著しく長くなることを抑制することができる。
【００２５】
［適用例８］
上記適用例にかかる電気泳動表示装置において、前記第１室は画素部と断面積が前記画素部より狭い狭部とが交互に配置されており、前記第１電気泳動分散液は白粒子と直径が前記白粒子より小さい色粒子とを含み、前記白粒子は前記狭部を通過せず、前記色粒子は前記狭部を通過することを特徴とする。
【００２６】
本適用例によれば、第１電気泳動分散液は白粒子と色粒子とを含んでいる。そして、白粒子と色粒子との位置を変えることにより表示する色を変えることができる。白粒子は色粒子より大きく狭部を通過しない。これにより、白粒子が画素部間を移動することを防止することができる。色粒子は直径が小さいのでブラウン運動する。従って、白粒子及び色粒子の偏りを抑制することができる。
【００２７】
［適用例９］
上記適用例にかかる電気泳動表示装置において、前記第１電気泳動分散液は黒粒子を含み、前記黒粒子は前記狭部を通過しないことを特徴とする。
【００２８】
本適用例によれば、第１電気泳動分散液は黒粒子を含んでいる。従って、黒粒子、白粒子及び色粒子の位置を変えることにより表示する色を変えることができる。黒粒子は狭部を通過しない。これにより、黒粒子が画素部間を移動することを防止することができる。従って、黒粒子、白粒子及び色粒子の偏りを抑制することができる。
【００２９】
［適用例１０］
本適用例にかかる電気泳動表示装置の製造方法であって、第１基板上に複数の第１室と、複数の前記第１室を互いに接続し前記第１室と前記第１基板の辺に位置する第１開口部とを接続する第１配管と、複数の第２室と、複数の前記第２室を互いに接続し前記第２室と前記第１基板の辺に位置する第２開口部とを接続する第２配管と、を区画する隔壁を設置し、前記隔壁と第２基板とを接着し、前記第１開口部から前記第１配管を経て複数の前記第１室に第１電気泳動分散液を充填し、前記第２開口部から前記第２配管を経て複数の前記第２室に第２電気泳動分散液を充填し、前記第１開口部及び前記第２開口部を封止することを特徴とする。
【００３０】
本適用例によれば、第１基板上に隔壁を設置している。隔壁は第１室、第１配管、第２室、第２配管を区画する。第１配管は第１室を互いに接続する。さらに、第１配管は第１室と第１基板の辺に位置する第１開口部とを接続する。そして、第２配管は第２室を互いに接続する。さらに、第２配管は第２室と第１基板の辺に位置する第２開口部とを接続する。
【００３１】
そして、第１開口部から第１配管を経て複数の第１室に第１電気泳動分散液を充填する。このとき、複数の第１室は第１配管により接続されている為、複数の第１室に第１電気泳動分散液を充填することができる。同様に、第２開口部から第２配管を経て複数の第２室に第２電気泳動分散液を充填する。このとき、複数の第２室は第２配管により接続されている為、複数の第２室に第２電気泳動分散液を充填することができる。そして、第１開口部及び第２開口部が封止される。従って、第１室及び第２室の個数が多いときにも少ない個数の第１開口部及び第２開口部から第１電気泳動分散液及び第２電気泳動分散液を充填することができる。このため、第１開口部及び第２開口部と供給口との位置合わせが容易に行えるため生産性良く電気泳動分散液を充填することができる。
【００３２】
［適用例１１］
上記適用例にかかる電気泳動表示装置の製造方法において、前記第１室及び前記第２室は画素部と断面積が前記画素部より狭い狭部とが交互に配置されており、前記隔壁と前記第２基板とを接着する前に行われ、前記第１室及び前記第２室には前記狭部を通過しない白粒子を設置することを特徴とする。
【００３３】
本適用例によれば、第１室及び第２室は画素部と断面積が画素部より狭い狭部とが交互に配置されている。そして、第１室及び第２室には狭部を通過しない白粒子を設置している。従って、白粒子が画素部間を移動することを防止することができる為、白粒子の偏りを抑制することができる。
【００３４】
［適用例１２］
本適用例にかかる電子機器であって、表示部と、前記表示部が表示する情報を供給する制御部と、を備え、前記表示部は上記のいずれか一項に記載の電気泳動表示装置であることを特徴とする。
【００３５】
本適用例によれば、電子機器は表示部と表示部が表示する情報を供給する制御部とを備えている。そして、制御部が表示部に情報を供給し表示部が情報を表示する。そして、表示部には上記に記載の電気泳動表示装置が用いられている。従って、電子機器は生産性良く製造される電気泳動表示装置を備えた装置とすることができる。
【図面の簡単な説明】
【００３６】
【図１】第１の実施形態にかかわり、（ａ）は、電気泳動表示装置の構造を示す概略斜視図、（ｂ）は電気泳動表示装置の構造を示す模式平面図。
【図２】電気泳動表示装置の構造を示す部分概略分解斜視図。
【図３】液室の配置を説明するための模式平面図。
【図４】電気泳動表示装置の電気制御ブロック図。
【図５】電気泳動表示装置の動作を説明するための要部模式側断面図。
【図６】電気泳動表示装置の製造方法のフローチャート。
【図７】電気泳動表示装置の製造方法を説明するための模式図。
【図８】電気泳動表示装置の製造方法を説明するための模式図。
【図９】電気泳動表示装置の製造方法を説明するための模式図。
【図１０】第２の実施形態にかかわる電気泳動表示装置の構造を示す模式平面図。
【図１１】電気泳動表示装置の製造方法を説明するための模式図。
【図１２】第３の実施形態にかかわる電気泳動表示装置の構造を示す模式平面図。
【図１３】第４の実施形態にかかわる電気泳動表示装置の構造を示す模式平面図。
【図１４】液室を説明するための要部模式拡大平面図。
【図１５】電気泳動表示装置の製造方法のフローチャート。
【図１６】電気泳動表示装置の製造方法を説明するための模式図。
【図１７】第５の実施形態にかかわる電気泳動表示装置の構造を示す模式側断面。
【図１８】第６の実施形態にかかわり、（ａ）は電子ブックの構造を示す概略斜視図、（ｂ）は腕時計の構造を示す概略斜視図。
【発明を実施するための形態】
【００３７】
以下、実施形態について図面に従って説明する。
尚、各図面における各部材は、各図面上で認識可能な程度の大きさとするため、各部材毎に縮尺を異ならせて図示している。
【００３８】
（第１の実施形態）
本実施形態では電気泳動表示装置と、この電気泳動表示装置を製造する特徴的な例について、図１〜図９に従って説明する。図１（ａ）は、電気泳動表示装置の構造を示す概略斜視図であり、図１（ｂ）は電気泳動表示装置の構造を示す模式平面図である。
【００３９】
図１（ａ）に示すように、電気泳動表示装置１は第１基板としての下部基板２と第２基板としての上部基板３とが重なった構造になっている。下部基板２及び上部基板３の法線方向をＺ方向とし、＋Ｚ方向側に上部基板３が位置する。観察者が電気泳動表示装置１を見るときには＋Ｚ方向側から見ることとする。上部基板３の＋Ｚ方向側の面が画像表示面３ａである。下部基板２及び上部基板３はＸ方向及びＹ方向に延在する。下部基板２は上部基板３より−Ｙ方向に長い形状になっている。下部基板２の−Ｙ方向側では＋Ｚ方向側の面にフレキシブルケーブル４が設置されている。フレキシブルケーブル４は図示しない駆動回路に接続され、フレキシブルケーブル４を介して電源と駆動信号が供給される。
【００４０】
図１（ｂ）に示すように、電気泳動表示装置１は下部基板２と上部基板３との間には隔壁５が設置されている。隔壁５はＸ方向に延在する長方形の形状を有する液室６を区画する。図中画液室６は図を見易くするためにＹ方向に９個並べて配置されている。液室６の個数は特に限定されないが本実施形態では、例えば、Ｙ方向に６００個並べて配置されている。液室６は第１室としてのシアン液室７、第２室としてのマゼンタ液室８及び第３室としてのイエロー液室９により構成されている。
【００４１】
シアン液室７はシアン色を表示する部分であり、マゼンタ液室８はマゼンタ色を表示する部分である。イエロー液室９はイエロー色を表示する部分になっている。そして、電気泳動表示装置１には−Ｙ方向側から＋Ｙ方向側に向けてシアン液室７、マゼンタ液室８及びイエロー液室９がこの順を繰り返して配置されている。各液室６には画素部１０が設定されている。図中各液室６には図を見易くするためにＸ方向に１５個の画素部１０が配置されている。液室６の個数は特に限定されないが本実施形態では、例えば、Ｙ方向に約６００個並べて配置されている。画素部１０の個数は特に限定されないが本実施形態では、例えば、Ｘ方向に約３００個並べて配置されている。画素部１０の大きさは特に限定されないが本実施形態では、例えば、Ｘ方向の長さが８０μｍ、Ｙ方向の長さが６０μｍになっている。電気泳動表示装置１の大きさも特に限定されないが本実施形態では、例えば、下部基板２はＸ方向の長さが３０ｍｍであり、Ｙ方向の長さが４０ｍｍになっている。
【００４２】
上部基板３とフレキシブルケーブル４との間には下部基板２上に波形分配部１１が設置されている。波形分配部１１はフレキシブルケーブル４を介して伝送された信号を各画素部１０に分配する回路である。
【００４３】
図２は電気泳動表示装置の構造を示す部分概略分解斜視図であり、電気泳動表示装置１の一部分をＺ方向に分解した図である。図２に示すように、下部基板２は第１基板としての第１基材１２を備えている。第１基材１２は、ガラス、プラスチック、セラミック、シリコン等からなり絶縁性のある基板である。第１基材１２は＋Ｚ方向から見える画像表示面３ａとは反対側に配置されるため不透明な材質でもよい。
【００４４】
第１基材１２上には素子層１３が設置されている。素子層１３には電圧供給線１３ａ、制御信号線１３ｂ、半導体素子１３ｃ及び貫通電極１３ｄ等が設置されている。半導体素子１３ｃはＴＦＴ（Ｔｈｉｎ  Ｆｉｌｍ  Ｔｒａｎｓｉｓｔｏｒ）素子であり、スイッチングを行う素子である。素子層１３の上には絶縁層１４が設置され、絶縁層１４の上には第１電極としての画素電極１５が設置されている。絶縁層１４は素子層１３と画素電極１５とを絶縁する層である。素子層１３には貫通電極１３ｄが設置され、貫通電極１３ｄは画素電極１５と接続されている。半導体素子１３ｃと接続して貫通電極１３ｄが設置されている。これにより、半導体素子１３ｃは画素電極１５と電気的に接続されている。画素電極１５は画素部１０毎に分離されている。第１基材１２、素子層１３、絶縁層１４及び画素電極１５等により下部基板２が構成されている。
【００４５】
素子層１３の材質は半導体が形成できる材質であれば良く特に限定されず、シリコン、ゲルマニウム、ヒ化ガリウム、ガリウム砒素リン、窒化ガリウム、炭化珪素、ＩＧＺＯ（インジウムガリウム亜鉛酸化物）等を用いることができる。絶縁層１４の材質は絶縁性があり成形しやすい材質であれば良く特に限定されず、ガラス、樹脂、酸化シリコンや窒化シリコン等を用いることができる。本実施形態では、例えば、絶縁層１４の材質にはアクリル樹脂を用いている。
【００４６】
画素電極１５の材質は導電性のある材質であれば良く特に限定されず、銅、アルミニウム、ニッケル、金、銀、ＩＴＯ（インジウム錫酸化物）の他、銅箔上にニッケル膜や金膜を積層した物、アルミニウム箔上にニッケル膜や金膜を積層した物を用いることができる。本実施形態では、例えば、画素電極１５はアルミニウム箔上に金膜を設置した構造になっている。
【００４７】
画素電極１５上には隔壁５が縞状に設置され、隔壁５によって液室６が区画されている。隔壁５の材質は絶縁性と強度があり形成しやすい材質であれば良く特に限定されず、アクリル樹脂やエポキシ樹脂等の樹脂を用いることができる。本実施形態では、例えば、感光性樹脂を用いている。これにより、画素部１０を隔てる隔壁５の抵抗値が１×１０8Ω以上になっている。そして、隔壁５は下部基板２と上部基板３とを絶縁する。
【００４８】
シアン液室７には第１電気泳動分散液としてのシアン電気泳動分散液１６が設置され、マゼンタ液室８には第２電気泳動分散液としてのマゼンタ電気泳動分散液１７が設置されている。イエロー液室９には第３電気泳動分散液としてのイエロー電気泳動分散液１８が設置されている。シアン電気泳動分散液１６は白粒子としての白色荷電粒子２１、黒粒子としての黒色荷電粒子２２及び色粒子としてのシアン色荷電粒子２３を有し、白色荷電粒子２１、黒色荷電粒子２２及びシアン色荷電粒子２３が分散媒２４に分散している。同様に、マゼンタ電気泳動分散液１７では白色荷電粒子２１、黒色荷電粒子２２及び色粒子としてのマゼンタ色荷電粒子２５が分散媒２４に分散している。イエロー電気泳動分散液１８では白色荷電粒子２１、黒色荷電粒子２２及び色粒子としてのイエロー色荷電粒子２６が分散媒２４に分散している。
【００４９】
白色荷電粒子２１の材料は、白色で帯電可能であり微細な粒子に形成可能であれば良く特に限定されない。白色荷電粒子２１の材料は、例えば、二酸化チタン、亜鉛華、三酸化アンチモン等の白色顔料からなる粒子、高分子、コロイドを用いることができる。本実施形態では、例えば、白色荷電粒子２１は二酸化チタンの粒子を正極に帯電して用いている。
【００５０】
黒色荷電粒子２２は、黒色で帯電可能であり微細な粒子に形成可能であれば良く特に限定されない。黒色荷電粒子２２の材料は、例えば、アニリンブラック、カーボンブラック、酸窒化チタン等の黒色顔料からなる粒子、高分子、コロイドを用いることができる。本実施形態では、例えば、黒色荷電粒子２２は酸窒化チタンを負極に帯電して用いている。
【００５１】
シアン色荷電粒子２３はシアン色の粒子であれば良く特に限定さない。シアン色荷電粒子２３はシアン色の粒子を負極に帯電して用いている。マゼンタ色荷電粒子２５はマゼンタ色の粒子であれば良く特に限定さない。マゼンタ色荷電粒子２５はマゼンタ色の粒子を負極に帯電して用いている。イエロー色荷電粒子２６はイエロー色の粒子であれば良く特に限定さない。イエロー色荷電粒子２６はイエロー色の粒子を負極に帯電して用いている。
【００５２】
白色荷電粒子２１、黒色荷電粒子２２、シアン色荷電粒子２３、マゼンタ色荷電粒子２５及びイエロー色荷電粒子２６にはこれらの粒子に必要に応じて電解質、界面活性剤、金属石鹸、樹脂、ゴム、油、ワニス、コンパウンド等の帯電制御剤を用いることができる。他にも、白色荷電粒子２１及び黒色荷電粒子２２にはチタン系カップリング剤、アルミニウム系カップリング剤、シラン系カップリング剤等の分散剤、潤滑剤、安定化剤等を添加することができる。
【００５３】
分散媒２４は流動性があって変質し難い材質であれば良く特に限定されない。分散媒２４の材質には水、メタノール、エタノール、イソプロパノール、ブタノール、オクタノール、メチルセルソルブ等のアルコール系溶媒、酢酸エチル、酢酸ブチル等のエステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素を用いることができる。他にも分散媒２４の材質にはベンゼン、トルエン、キシレン、長鎖アルキル基を有するベンゼン類等の芳香族炭化水素を用いることができる。長鎖アルキル基を有するベンゼン類としてはヘキシルベンゼン、ヘプチルベンゼン、オクチルベンゼン、ノニルベンゼン、デシルベンゼン、ウンデシルベンゼン、ドデシルベンゼン、トリデシルベンゼン、テトラデシルベンゼン等を用いることができる。他にも分散媒２４としては、塩化メチレン、クロロホルム、四塩化炭素、１，２−ジクロロエタン等のハロゲン化炭化水素を用いることができる。他にも、分散媒２４の材質には油類やシリコーンオイルを用いることができる。これらの物質は単独または混合物として用いることができ、さらに、カルボン酸塩のような界面活性剤等を配合してもよい。
【００５４】
シアン液室７とイエロー液室９との間には第２配管としてのマゼンタ配管２７が設置されている。マゼンタ配管２７にはマゼンタ電気泳動分散液１７が設置されている。シアン液室７とマゼンタ配管２７との間の隔壁５の厚みはシアン液室７とマゼンタ液室８との間の隔壁５の厚みより薄くなっている。同様に、イエロー液室９とマゼンタ配管２７との間の隔壁５の厚みはイエロー液室９とマゼンタ液室８との間の隔壁５の厚みより薄くなっている。そして、Ｙ方向におけるシアン液室７とイエロー液室９との距離はシアン液室７とマゼンタ液室８との間の距離と同じ距離になっている。Ｙ方向におけるマゼンタ液室８とイエロー液室９との距離はシアン液室７とマゼンタ液室８との間の距離と同じ距離になっている。従って、各液室６のＹ方向の距離は同じ距離になっている。
【００５５】
隔壁５及び電気泳動分散液上には上部基板３が設置されている。上部基板３は第２基板としての第２基材２８を備えている。第２基材２８を覆って共通電極２９が設置され、共通電極２９の−Ｚ方向側の面には接着層３０が設置されている。共通電極２９は複数の画素部１０に渡って設置された共通電極になっている。従って、共通電極２９は複数の画素電極１５と対向する。接着層３０は隔壁５と上部基板３とを接着する。そして、隔壁５は画素電極１５と共通電極２９とを絶縁する。
【００５６】
第２基材２８の材質は光透過性、強度及び絶縁性があれば良く特に限定されない。第２基材２８の材質にガラスや樹脂材料を用いることができる。本実施形態では、例えば、第２基材２８の材質にガラス板を用いている。
【００５７】
共通電極２９は、透明導電膜であれば良く特に限定されない。例えば、共通電極２９にはＭｇＡｇ、ＩＧＯ（Ｉｎｄｉｕｍ−ｇａｌｌｉｕｍ  ｏｘｉｄｅ）、ＩＴＯ（Ｉｎｄｉｕｍ  Ｔｉｎ  Ｏｘｉｄｅ）、ＩＣＯ（Ｉｎｄｉｕｍ−ｃｅｒｉｕｍ  ｏｘｉｄｅ）、ＩＺＯ（インジウム・亜鉛酸化物）等を用いることができる。本実施形態では、例えば、共通電極２９にＩＴＯを用いている。
【００５８】
接着層３０の材質は隔壁５と上部基板３とを接着可能であり、電気泳動分散液を変質させない材質であれば良く特に限定されない。例えば、接着層３０の材質にはポリウレタン、ポリ尿素、ポリ尿素−ポリウレタン、尿素−ホルムアルデヒド樹脂、メラミン−ホルムアルデヒド樹脂、ポリアミド、ポリエステル、ポリスルホンアミド、ポリカーボネート、ポリスルフィネート、エポキシ樹脂、ポリアクリル酸エステル等のアクリル樹脂、ポリメタクリル酸エステル、ポリ酢酸ビニル、ゼラチン、フェノール樹脂、ビニル樹脂等が用いることができる。本実施形態では、例えば、紫外性硬化型のアクリル樹脂やエポキシ樹脂を用いている。
【００５９】
図３は、液室の配置を説明するための模式平面図であり、電気泳動表示装置１から上部基板３を除いた部分を示す。図３に示すように、電気泳動表示装置１にはシアン液室７、マゼンタ液室８及びイエロー液室９が各３個設置されている。３個のシアン液室７を−Ｙ方向側から順に第１室としての下シアン液室７ａ、第１室としての中シアン液室７ｂ、第１室としての上シアン液室７ｃとする。３個のマゼンタ液室８を−Ｙ方向側から順に第２室としての下マゼンタ液室８ａ、第２室としての中マゼンタ液室８ｂ、第２室としての上マゼンタ液室８ｃとする。３個のイエロー液室９を−Ｙ方向側から順に第３室としての下イエロー液室９ａ、第３室としての中イエロー液室９ｂ、第３室としての上イエロー液室９ｃとする。
【００６０】
下部基板２の＋Ｙ方向側の辺を上辺２ａ、＋Ｘ方向側の辺を第２辺としての右辺２ｂ、−Ｙ方向側の辺を下辺２ｃ、−Ｘ方向側の辺を第１辺としての左辺２ｄとする。下シアン液室７ａの−Ｘ方向側に接続して第１配管としてのシアン配管３１が設置されている。シアン配管３１は左辺２ｄの第１開口部としてのシアン開口部３２まで延在する。さらに、シアン配管３１は中シアン液室７ｂの−Ｘ方向側の端及び上シアン液室７ｃの−Ｘ方向側の端と接続している。従って、シアン開口部３２、下シアン液室７ａ、中シアン液室７ｂ及び上シアン液室７ｃがシアン配管３１によって接続されている。そして、シアン開口部３２から下シアン液室７ａ、中シアン液室７ｂ及び上シアン液室７ｃにシアン電気泳動分散液１６を充填することができる。
【００６１】
上イエロー液室９ｃの＋Ｘ方向側に接続して第３配管としてのイエロー配管３３が設置されている。イエロー配管３３は右辺２ｂの第３開口部としてのイエロー開口部３４まで延在する。さらに、イエロー配管３３は中イエロー液室９ｂの＋Ｘ方向側の端及び下イエロー液室９ａの＋Ｘ方向側の端と接続している。従って、イエロー開口部３４、下イエロー液室９ａ、中イエロー液室９ｂ及び上イエロー液室９ｃがイエロー配管３３によって接続されている。そして、イエロー開口部３４から下イエロー液室９ａ、中イエロー液室９ｂ及び上イエロー液室９ｃにイエロー電気泳動分散液１８を充填することができる。
【００６２】
下マゼンタ液室８ａの＋Ｘ方向側に接続してマゼンタ配管２７が設置されている。マゼンタ配管２７は右辺２ｂの第２開口部としてのマゼンタ開口部３５まで延在する。さらに、マゼンタ配管２７は下マゼンタ液室８ａの−Ｘ方向側の端と中マゼンタ液室８ｂの＋Ｘ方向側の端と接続している。下マゼンタ液室８ａと中マゼンタ液室８ｂとの間ではマゼンタ配管２７は下イエロー液室９ａと中シアン液室７ｂとの間を通って配置されている。さらに、マゼンタ配管２７は中マゼンタ液室８ｂの−Ｘ方向側の端と上マゼンタ液室８ｃの＋Ｘ方向側の端と接続している。中マゼンタ液室８ｂと上マゼンタ液室８ｃとの間ではマゼンタ配管２７は中イエロー液室９ｂと上シアン液室７ｃとの間を通って配置されている。従って、マゼンタ開口部３５、下マゼンタ液室８ａ、中マゼンタ液室８ｂ及び上マゼンタ液室８ｃがマゼンタ配管２７によって接続されている。そして、マゼンタ開口部３５から下マゼンタ液室８ａ、中マゼンタ液室８ｂ及び上マゼンタ液室８ｃにマゼンタ電気泳動分散液１７を充填することができる。
【００６３】
各液室６には画素電極１５が設置され、画素電極１５と対向する場所が画素部１０になっている。シアン液室７の画素部１０ではシアン色の画素を表示し、マゼンタ液室８の画素部１０ではマゼンタ色の画素を表示する。イエロー液室９の画素部１０ではイエロー色の画素を表示する。電気泳動表示装置１ではこの３色を組み合わせてカラー画像を表示することができる。
【００６４】
電気泳動表示装置１ではＺ方向からみたときの平面視でマゼンタ配管２７、シアン配管３１、イエロー配管３３が互いに交差しない配置になっている。配管が交差するときには下部基板２と上部基板３との間の距離に２つの配管が位置するので配管が狭くなる。その結果、配管を流れる流体の抵抗が大きくなるので、各液室６に電気泳動分散液を充填する時間が長くなる。本実施形態では配管が互いに交差しない配置になっているので、配管を流れる流体の抵抗を小さくすることができる。従って、生産性良く各液室６に電気泳動分散液を充填することができる。
【００６５】
図４は電気泳動表示装置の電気制御ブロック図である。図４に示すように、電気泳動表示装置１は駆動装置３６と接続して用いられる。駆動装置３６は入力部３７を備え、入力部３７は電気泳動表示装置１に表示する画像を示す画像信号を出力する装置に接続され、画像信号を入力する。入力部３７は制御部３８と接続されている。そして、制御部３８は記憶部４１、第１波形形成部４２及び第２波形形成部４３と接続されている。
【００６６】
記憶部４１は画像信号の他、画像信号から電気泳動表示装置１を駆動する信号を形成するときに用いる情報を記憶する。制御部３８は第１波形形成部４２及び第２波形形成部４３を制御する部位である。制御部３８は入力部３７から入力した画像信号を第１波形形成部４２及び第２波形形成部４３に送信する。さらに、第１波形形成部４２及び第２波形形成部４３が波形を形成するときに用いる情報を送信する。
【００６７】
第１波形形成部４２は半導体素子１３ｃを駆動する駆動信号を形成する。そして、第２波形形成部４３は共通電極２９を駆動する電圧波形を形成する。第１波形形成部４２及び第２波形形成部４３はフレキシブルケーブル４を介して波形分配部１１と接続させる。波形分配部１１は第１波形形成部４２及び第２波形形成部４３から受信した波形信号を各画素電極１５及び共通電極２９に分配する。波形分配部１１は制御信号線１３ｂを介して半導体素子１３ｃと接続され、半導体素子１３ｃに画素毎の駆動信号を出力する。半導体素子１３ｃは画素電極１５と接続され、駆動信号に対応する電圧を画素電極１５に出力する。さらに、波形分配部１１は共通電極２９に第２波形形成部４３から受信した電圧波形を出力する。
【００６８】
図５は電気泳動表示装置の動作を説明するための要部模式側断面図である。図５（ａ）に示すように、電気泳動表示装置１は画素電極１５と共通電極２９との間に電圧を印加して用いられる。そして、画素電極１５と共通電極２９との間の相対電圧を切り替えることにより表示を変更する。
【００６９】
画素電極１５に対して共通電極２９を低い電圧にする。このとき黒色荷電粒子２２は負極の電圧に帯電しているので、黒色荷電粒子２２は画素電極１５に誘引される。シアン色荷電粒子２３、マゼンタ色荷電粒子２５及びイエロー色荷電粒子２６も負極の電圧に帯電しているので、シアン色荷電粒子２３、マゼンタ色荷電粒子２５及びイエロー色荷電粒子２６は画素電極１５に誘引される。白色荷電粒子２１は正極の電圧に帯電しているので、白色荷電粒子２１は共通電極２９に誘引される。その結果、下部基板２には黒色荷電粒子２２が集合し、上部基板３には白色荷電粒子２１が集合する。上部基板３側から電気泳動表示装置１を見るとき観察者は上部基板３を通して白色荷電粒子２１を見ることができる。従って、画素部１０は白色の表示となる。
【００７０】
図５（ｂ）に示すように、画素電極１５に対して共通電極２９を高い電圧にする。このとき、黒色荷電粒子２２は負極の電圧に帯電しているので、黒色荷電粒子２２は共通電極２９に誘引される。シアン色荷電粒子２３、マゼンタ色荷電粒子２５及びイエロー色荷電粒子２６も負極の電圧に帯電しているので、シアン色荷電粒子２３、マゼンタ色荷電粒子２５及びイエロー色荷電粒子２６は共通電極２９に誘引される。シアン色荷電粒子２３、マゼンタ色荷電粒子２５及びイエロー色荷電粒子２６は黒色荷電粒子２２より直径が小さい粒子である。シアン色荷電粒子２３、マゼンタ色荷電粒子２５及びイエロー色荷電粒子２６は黒色荷電粒子２２より流体抵抗が小さいので早く移動する。従って、シアン色荷電粒子２３、マゼンタ色荷電粒子２５及びイエロー色荷電粒子２６は黒色荷電粒子２２より先に共通電極２９に到達する。黒色荷電粒子２２が共通電極２９に到達するまえに画素電極１５と共通電極２９との間の電位差を小さくする。これにより、黒色荷電粒子２２は共通電極２９に到達しなくなる。
【００７１】
白色荷電粒子２１は正極の電圧に帯電しているので、白色荷電粒子２１は画素電極１５に誘引される。その結果、下部基板２には白色荷電粒子２１が集合し、上部基板３にはシアン色荷電粒子２３、マゼンタ色荷電粒子２５及びイエロー色荷電粒子２６が集合する。上部基板３側から電気泳動表示装置１を見るとき観察者は上部基板３を通してシアン色荷電粒子２３、マゼンタ色荷電粒子２５及びイエロー色荷電粒子２６を見ることができる。従って、画素部１０はシアン色、マゼンタ色及びイエロー色の表示となる。
【００７２】
図５（ｃ）に示すように、画素電極１５に対して共通電極２９を高い電圧に維持する。このとき、黒色荷電粒子２２は負極の電圧に帯電しているので、黒色荷電粒子２２は共通電極２９に誘引される。そして、黒色荷電粒子２２が共通電極２９に到達する。その結果、下部基板２には白色荷電粒子２１が集合し、上部基板３にはシアン色荷電粒子２３、マゼンタ色荷電粒子２５、イエロー色荷電粒子２６及び黒色荷電粒子２２が集合する。上部基板３側から電気泳動表示装置１を見るとき観察者は上部基板３を通してシアン色荷電粒子２３、マゼンタ色荷電粒子２５、イエロー色荷電粒子２６及び黒色荷電粒子２２を見ることができる。黒色荷電粒子２２はシアン色荷電粒子２３、マゼンタ色荷電粒子２５、イエロー色荷電粒子２６より粒子の直径が大きく光を吸収するので画素部１０は黒色の表示となる。このように、画素電極１５と共通電極２９との電位差を制御することにより各画素部１０の色を制御することができる。
【００７３】
次に上述した電気泳動表示装置１の製造方法について図６〜図９にて説明する。図６は、電気泳動表示装置の製造方法のフローチャートであり、図７〜図９は電気泳動表示装置の製造方法を説明するための模式図である。図６のフローチャートにおいて、ステップＳ１は隔壁設置工程に相当する。この工程は、下部基板２上に隔壁５を設置する工程である。次にステップＳ２に移行する。ステップＳ２は組立工程である。この工程は、接着層３０にて隔壁５と上部基板３とを接着する工程である。次にステップＳ３に移行する。ステップＳ３は分散液充填工程である。この工程は、液室６に電気泳動分散液を充填する工程である。次にステップＳ４に移行する。ステップＳ４は封止工程である。この工程は、シアン開口部３２、イエロー開口部３４及びマゼンタ開口部３５を塞いで液室６を封止する工程である。以上の工程により電気泳動表示装置１を製造する工程を終了する。
【００７４】
次に、図７〜図９を用いて図６に示したステップと対応させて製造方法を詳細に説明する。図７（ａ）〜図７（ｃ）はステップＳ１の隔壁設置工程に対応する図である。図７（ａ）に示すように下部基板２を用意する。下部基板２には素子層１３が設置されている。素子層１３の設置方法は公知であり説明を省略する。
【００７５】
図７（ｂ）に示すように、下部基板２上に隔壁５の材料となる感光性樹脂材料を塗布する。塗布方法はオフセット印刷、スクリーン印刷、凸版印刷等の各種印刷法を用いて設置することができる。他にも、スピンコート法やロールコート法等のコート法を用いても良い。続いて、感光性樹脂材料を加熱乾燥して固化し樹脂膜５ａを設置する。次に、樹脂膜５ａをフォトリソグラフィー法によってパターニングしエッチングして隔壁５を形成する。その結果、図７（ｃ）に示すように、下部基板２上に隔壁５が設置される。
【００７６】
図７（ｄ）はステップＳ２の組立工程に対応する図である。図７（ｄ）に示すように、ステップＳ２において、上部基板３を用意する。上部基板３には共通電極２９及び接着層３０が設置されている。共通電極２９及び接着層３０の設置方法は公知であり説明を省略する。隔壁５上に上部基板３を設置する。隔壁５上に上部基板３を搭載する。次に、下部基板２及び上部基板３を光透過型の治具にて挟んで固定する。続いて、接着層３０に紫外線を照射する。接着層３０は紫外線硬化型の接着剤であり、隔壁５と上部基板３とが仮固定される。次に、上部基板３が設置された下部基板２を加熱し接着層３０を固化することにより上部基板３が隔壁５に固定される。下部基板２と上部基板３とが接合させた基板を接合基板４４とする。
【００７７】
図８（ａ）〜図８（ｄ）はステップＳ３の分散液充填工程に対応する図である。図８（ａ）に示すように、ステップＳ３において、充填装置４５を用意する。充填装置４５は下容器４６ａと上容器４６ｂからなる密閉容器４６を備えている。上容器４６ｂと下容器４６ａとの間にはパッキンが設置され、気体の漏洩が防止されている。下容器４６ａには真空ポンプ４７が設置され、真空ポンプ４７は密閉容器４６内を減圧する。
【００７８】
密閉容器４６内には供給口としての受皿４８が設置され、受皿４８にはシアン電気泳動分散液１６が投入されている。下容器４６ａには撹拌装置４９が設置され、撹拌装置４９にはモーターが設置されている。モーターの回転軸にはスクリュウ４９ａが設置され、撹拌装置４９はスクリュウ４９ａを回転してシアン電気泳動分散液１６を撹拌する。これにより、シアン電気泳動分散液１６の白色荷電粒子２１、黒色荷電粒子２２及びシアン色荷電粒子２３が沈殿することを撹拌装置４９が防止する。密閉容器４６内に接合基板４４を設置し、密閉容器４６内を減圧する。これにより、シアン液室７内の空気が除去され、シアン液室７が真空状態になる。
【００７９】
図８（ｂ）に示すように、接合基板４４における左辺２ｄをシアン電気泳動分散液１６に浸漬する。そして、密閉容器４６内の圧力を大気圧にする。これにより、シアン電気泳動分散液１６に気圧が作用し、シアン電気泳動分散液１６がシアン開口部３２から吸引される。そして、シアン電気泳動分散液１６がシアン開口部３２からシアン配管３１を通過して下シアン液室７ａ、中シアン液室７ｂ及び上シアン液室７ｃに充填される。１つのシアン開口部３２からシアン電気泳動分散液１６が吸引されるので、管理する場所が１カ所になっている。さらに、シアン開口部３２が接合基板４４の側面に設置されているのでシアン電気泳動分散液１６に浸漬し易い。従って、電気泳動表示装置１はステップＳ３の製造工程を管理し易い構造になっている。
【００８０】
図８（ｃ）に示すように、ステップＳ３において、充填装置５０を用意する。充填装置５０は密閉容器４６、真空ポンプ４７及び撹拌装置４９を備えている。密閉容器４６内には第１受皿５１及び供給口としての第２受皿５２が設置されている。第１受皿５１にはイエロー電気泳動分散液１８が投入され、第２受皿５２にはマゼンタ電気泳動分散液１７が投入されている。充填装置５０には撹拌装置４９が２台設置されている。そして、撹拌装置４９はイエロー電気泳動分散液１８及びマゼンタ電気泳動分散液１７をそれぞれ撹拌する。これにより、イエロー電気泳動分散液１８の白色荷電粒子２１、黒色荷電粒子２２及びイエロー色荷電粒子２６が沈殿することを撹拌装置４９が防止する。同様に、マゼンタ電気泳動分散液１７の白色荷電粒子２１、黒色荷電粒子２２及びマゼンタ色荷電粒子２５が沈殿することを撹拌装置４９が防止する。
【００８１】
マゼンタ電気泳動分散液１７及びイエロー電気泳動分散液１８は液面の高さが管理されている。そして、イエロー電気泳動分散液１８の液面は表面張力により第１受皿５１の側壁より上容器４６ｂ側に位置している。同様に、マゼンタ電気泳動分散液１７の液面は表面張力により第２受皿５２の側壁より上容器４６ｂ側に位置している。そして、イエロー電気泳動分散液１８の液面とマゼンタ電気泳動分散液１７の液面とは同じ平面上に位置している。密閉容器４６内に接合基板４４を設置し、密閉容器４６内を減圧する。これにより、イエロー液室９及びマゼンタ液室８内の空気が除去され、イエロー液室９及びマゼンタ液室８内が真空状態になる。
【００８２】
図８（ｄ）に示すように、接合基板４４における右辺２ｂのイエロー開口部３４側をイエロー電気泳動分散液１８に浸漬する。さらに、接合基板４４における右辺２ｂのマゼンタ開口部３５側をマゼンタ電気泳動分散液１７に浸漬する。そして、密閉容器４６内の圧力を大気圧にする。これにより、イエロー電気泳動分散液１８に気圧が作用し、イエロー電気泳動分散液１８がイエロー開口部３４から吸引される。そして、イエロー電気泳動分散液１８がイエロー開口部３４からイエロー配管３３を通過して下イエロー液室９ａ、中イエロー液室９ｂ及び上イエロー液室９ｃに充填される。１つのイエロー開口部３４からイエロー電気泳動分散液１８が吸引されるので、管理する場所が１カ所になっている。さらに、イエロー開口部３４が接合基板４４の側面に設置されているのでイエロー電気泳動分散液１８に浸漬し易い。
【００８３】
イエロー電気泳動分散液１８の充填と並行して、マゼンタ電気泳動分散液１７に気圧が作用し、マゼンタ電気泳動分散液１７がマゼンタ開口部３５から吸引される。そして、マゼンタ電気泳動分散液１７がマゼンタ開口部３５からマゼンタ配管２７を通過して下マゼンタ液室８ａに充填される。さらに、下マゼンタ液室８ａからマゼンタ配管２７を介して中マゼンタ液室８ｂに充填される。さらに、中マゼンタ液室８ｂからマゼンタ配管２７を介して上マゼンタ液室８ｃに充填される。１つのマゼンタ開口部３５からマゼンタ電気泳動分散液１７が吸引されるので、管理する場所が１カ所になっている。さらに、マゼンタ開口部３５が接合基板４４の側面に設置されているのでマゼンタ電気泳動分散液１７に浸漬し易い。従って、電気泳動表示装置１はステップＳ３の製造工程を管理し易い構造になっている。
【００８４】
図９はステップＳ４の封止工程に対応する図である。図９（ａ）に示すように、ステップＳ４において、液体定量吐出装置５３を用意する。液体定量吐出装置５３はディスペンサーとも称す。液体定量吐出装置５３は本体部５３ａを備え、本体部５３ａにはポンプと液体を精度良く定量供給するコントローラーとが内蔵されている。本体部５３ａはチューブ５３ｂを介してシリンジ５３ｃに接続されている。シリンジ５３ｃにはニードル５３ｄが設置され、ニードル５３ｄから封止剤５４が供給される。封止剤５４は紫外線硬化樹脂が主成分になっている。接合基板４４の左辺２ｄを重力加速度方向と逆の方向に向ける。そして、シアン開口部３２に封止剤５４を塗布する。そして、封止剤５４に紫外線を照射して封止剤５４を硬化させる。
【００８５】
図９（ｂ）に示すように、接合基板４４の右辺２ｂを重力加速度方向と逆の方向に向ける。そして、液体定量吐出装置５３を用いてイエロー開口部３４及びマゼンタ開口部３５に封止剤５４を塗布する。そして、封止剤５４に紫外線を照射して封止剤５４を硬化させる。さらに、接合基板４４を加熱乾燥することにより確実に封止剤５４を硬化させる。最後に下部基板２にフレキシブルケーブル４を設置する。以上の工程により電気泳動表示装置１が完成する。
【００８６】
上述したように、本実施形態によれば、以下の効果を有する。
（１）本実施形態によれば、電気泳動表示装置１はシアン液室７、マゼンタ液室８及びイエロー液室９を備えている。シアン液室７にはシアン電気泳動分散液１６が設置され、マゼンタ液室８にはマゼンタ電気泳動分散液１７が設置されている。イエロー液室９にはイエロー電気泳動分散液１８が設置されている。シアン電気泳動分散液１６、マゼンタ電気泳動分散液１７及びイエロー電気泳動分散液１８は電圧を印加することにより表示色を切り替えることができる。表示色を組み合わせることにより電気泳動表示装置１をカラー表示にすることができる。
【００８７】
（２）本実施形態によれば、下シアン液室７ａ、中シアン液室７ｂ及び上シアン液室７ｃはシアン配管３１により互いに接続されている。そして、シアン開口部３２からシアン電気泳動分散液１６を供給して下シアン液室７ａ、中シアン液室７ｂ及び上シアン液室７ｃにシアン電気泳動分散液１６を充填させることができる。従って、下シアン液室７ａ、中シアン液室７ｂ及び上シアン液室７ｃに個別の開口部からシアン電気泳動分散液１６を充填するときに比べて少ない個数のシアン開口部３２からシアン液室７にシアン電気泳動分散液１６を充填することができる。
【００８８】
同様に、下マゼンタ液室８ａ、中マゼンタ液室８ｂ、上マゼンタ液室８ｃはマゼンタ配管２７により互いに接続されている。１つのマゼンタ開口部３５から複数のマゼンタ液室８にマゼンタ電気泳動分散液１７を充填させることができる。同様に、下イエロー液室９ａ、中イエロー液室９ｂ、上イエロー液室９ｃはイエロー配管３３により互いに接続されている。１つのイエロー開口部３４から複数のイエロー液室９にイエロー電気泳動分散液１８を充填させることができる。従って、シアン開口部３２、イエロー開口部３４、マゼンタ開口部３５はそれぞれ１カ所であり各開口部をそれぞれ受皿４８、第１受皿５１、第２受皿５２に容易に短時間で位置合わせすることができる。その結果、生産性良く電気泳動表示装置１を製造することができる。
【００８９】
（３）本実施形態によれば、下部基板２の厚み方向からの平面視でシアン配管３１とマゼンタ配管２７とが交差しない配置になっている。シアン配管３１とマゼンタ配管２７とが交差するときに下部基板２の厚み方向において下部基板２と上部基板３との距離に対するシアン配管３１が占める距離の比率を第１交差時比率とする。シアン配管３１とマゼンタ配管２７とが交差しないときには下部基板２と上部基板３との距離に対するシアン配管３１が占める距離の比率を第１交差時比率より大きくすることができる。従って、シアン電気泳動分散液１６がシアン配管３１を流動するときの流体抵抗を小さくして流動し易くすることができる。
【００９０】
同様に、シアン配管３１とマゼンタ配管２７とが交差するときに下部基板２の厚み方向において下部基板２と上部基板３との距離に対するマゼンタ配管２７が占める距離の比率を第２交差時比率とする。シアン配管３１とマゼンタ配管２７とが交差しないときには下部基板２と上部基板３との距離に対するマゼンタ配管２７が占める距離の比率を第２交差時比率より大きくすることができる。従って、マゼンタ電気泳動分散液１７がマゼンタ配管２７を流動するときの流体抵抗を小さくして流動し易くすることができる。その結果、生産性良くシアン液室７にシアン電気泳動分散液１６を充填し、マゼンタ液室８にマゼンタ電気泳動分散液１７を充填することができる。
【００９１】
（４）本実施形態によれば、下部基板２上に隔壁５を設置している。隔壁５はシアン液室７、シアン配管３１、マゼンタ液室８、マゼンタ配管２７を区画する。シアン配管３１はシアン液室７を互いに接続する。さらに、シアン配管３１はシアン液室７と左辺２ｄに位置するシアン開口部３２とを接続する。そして、マゼンタ配管２７はマゼンタ液室８を互いに接続する。さらに、マゼンタ配管２７はマゼンタ液室８と右辺２ｂに位置するマゼンタ開口部３５とを接続する。
【００９２】
そして、シアン開口部３２からシアン配管３１を経て複数のシアン液室７にシアン電気泳動分散液１６を充填する。このとき、複数のシアン液室７はシアン配管３１により接続されている為、複数のシアン液室７にシアン電気泳動分散液１６を充填することができる。同様に、マゼンタ開口部３５からマゼンタ配管２７を経て複数のマゼンタ液室８にマゼンタ電気泳動分散液１７を充填する。このとき、複数のマゼンタ液室８はマゼンタ配管２７により接続されている為、複数のマゼンタ液室８にマゼンタ電気泳動分散液１７を充填することができる。そして、シアン開口部３２及びマゼンタ開口部３５が封止される。従って、シアン液室７及びマゼンタ液室８の個数が多いときにもそれぞれ１つのシアン開口部３２及びマゼンタ開口部３５からシアン電気泳動分散液１６及びマゼンタ電気泳動分散液１７を充填することができる。このため、シアン開口部３２と受皿４８及びマゼンタ開口部３５と第２受皿５２との位置合わせが容易に短時間で行えるため生産性良くシアン電気泳動分散液１６及びマゼンタ電気泳動分散液１７を充填することができる。同様に、１つのイエロー開口部３４と第１受皿５１との位置合わせが容易に短時間で行えるため生産性良くイエロー電気泳動分散液１８を充填することができる。
【００９３】
（第２の実施形態）
次に、電気泳動表示装置の一実施形態について図１０及び図１１を用いて説明する。図１０は電気泳動表示装置の構造を示す模式平面図であり、上部基板３が透過した図になっている。図１１は電気泳動表示装置の製造方法を説明するための模式図であり、ステップＳ３の分散液充填工程を説明するための模式図である。本実施形態が第１の実施形態と異なるところは、シアン開口部３２、イエロー開口部３４、マゼンタ開口部３５がそれぞれ異なる辺に設置されている点にある。尚、第１の実施形態と同じ点については説明を省略する。
【００９４】
すなわち、本実施形態では、図１０に示すように電気泳動表示装置５７の接合基板５８では上辺２ａにイエロー開口部３４が設置され、右辺２ｂにマゼンタ開口部３５が設置されている。そして、左辺２ｄにシアン開口部３２が設置されている。従って、３つの開口部がそれぞれ異なる辺に設置されている。次に、ステップＳ３の分散液充填工程の説明をする。
【００９５】
図１１（ａ）に示すように、シアン液室７にシアン電気泳動分散液１６を充填するとき、受皿４８にシアン電気泳動分散液１６を投入する。密閉容器４６に接合基板５８を入れて真空ポンプ４７が密閉容器４６内を減圧する。接合基板５８の左辺２ｄをシアン電気泳動分散液１６に浸漬させて、密閉容器４６内の気圧を大気圧に戻す。シアン電気泳動分散液１６は大気圧に押されてシアン開口部３２からシアン配管３１に入り、シアン配管３１を通ってシアン液室７に入る。そして、下シアン液室７ａ、中シアン液室７ｂ及び上シアン液室７ｃにはシアン電気泳動分散液１６が充填される。
【００９６】
図１１（ｂ）に示すように、イエロー液室９にイエロー電気泳動分散液１８を充填するとき、受皿４８にイエロー電気泳動分散液１８を投入する。密閉容器４６に接合基板５８を入れて真空ポンプ４７が密閉容器４６内を減圧する。接合基板５８の上辺２ａをイエロー電気泳動分散液１８に浸漬させて、密閉容器４６内の気圧を大気圧に戻す。イエロー電気泳動分散液１８は大気圧に押されてイエロー開口部３４からイエロー配管３３に入り、イエロー配管３３を通ってイエロー液室９に入る。そして、下イエロー液室９ａ、中イエロー液室９ｂ及び上イエロー液室９ｃにはイエロー電気泳動分散液１８が充填される。
【００９７】
図１１（ｃ）に示すように、マゼンタ液室８にマゼンタ電気泳動分散液１７を充填するとき、受皿４８にマゼンタ電気泳動分散液１７を投入する。密閉容器４６に接合基板５８を入れて真空ポンプ４７が密閉容器４６内を減圧する。接合基板５８の右辺２ｂをマゼンタ電気泳動分散液１７に浸漬させて、密閉容器４６内の気圧を大気圧に戻す。マゼンタ電気泳動分散液１７は大気圧に押されてマゼンタ開口部３５からマゼンタ配管２７に入り、マゼンタ配管２７を通ってマゼンタ液室８に入る。そして、下マゼンタ液室８ａ、中マゼンタ液室８ｂ及び上マゼンタ液室８ｃにはマゼンタ電気泳動分散液１７が充填される。
【００９８】
上述したように、本実施形態によれば、以下の効果を有する。
（１）本実施形態によれば、シアン液室７にシアン電気泳動分散液１６を充填するとき接合基板５８の左辺２ｄをシアン電気泳動分散液１６に浸漬させる。イエロー液室９にイエロー電気泳動分散液１８を充填するとき、接合基板５８の上辺２ａをイエロー電気泳動分散液１８に浸漬させる。マゼンタ液室８にマゼンタ電気泳動分散液１７を充填するとき、接合基板５８の右辺２ｂをマゼンタ電気泳動分散液１７に浸漬させる。従って、それぞれ異なる辺を電気泳動分散液に浸して電気泳動分散液を各室に充填する為、シアン電気泳動分散液１６とマゼンタ電気泳動分散液１７とイエロー電気泳動分散液１８とが混じることを抑制することができる。
【００９９】
（第３の実施形態）
次に、電気泳動表示装置の一実施形態について図１２の電気泳動表示装置の構造を示す模式平面図を用いて説明する。図１２は上部基板３が透過した図になっている。本実施形態が第１の実施形態と異なるところは、液室６がシアン液室、マゼンタ液室、イエロー液室、マゼンタ液室、シアン液室の順に並んでいる点にある。尚、第１の実施形態と同じ点については説明を省略する。
【０１００】
すなわち、本実施形態では、図１２に示すように電気泳動表示装置６１の接合基板６２では下部基板２上に隔壁６３が設置されている。隔壁６３により下部基板２上にはシアン液室７、第２室としてのマゼンタ液室６４及びイエロー液室９が区画されている。シアン液室７及びイエロー液室９は第１の実施形態と同じ液室６である。マゼンタ液室６４ではＹ方向の幅がシアン液室７及びイエロー液室９の幅の半分の長さであり、マゼンタ液室６４のＸ方向の長さはシアン液室７及びイエロー液室９の長さと同じの長さの形状になっている。従って、マゼンタ液室６４の面積はシアン液室７の面積の半分であり、イエロー液室９の面積の半分になっている。
【０１０１】
接合基板６２にはシアン液室７及びイエロー液室９が各３個設置され、マゼンタ液室６４が６個設置されている。シアン液室７及びイエロー液室９の配置は第１の実施形態と同じである。そして、シアン液室７とイエロー液室９との間にはマゼンタ液室６４が配置され、上イエロー液室９ｃの＋Ｙ方向側にもマゼンタ液室６４が配置されている。
【０１０２】
−Ｙ方向側から順に下シアン液室７ａと下イエロー液室９ａとの間のマゼンタ液室６４を第２室としての下第１マゼンタ液室６４ａとし、下イエロー液室９ａと中シアン液室７ｂとの間のマゼンタ液室６４を第２室としての下第２マゼンタ液室６４ｂとする。中シアン液室７ｂと中イエロー液室９ｂとの間のマゼンタ液室６４を第２室としての中第１マゼンタ液室６４ｃとし、中イエロー液室９ｂと上シアン液室７ｃとの間のマゼンタ液室６４を第２室としての中第２マゼンタ液室６４ｄとする。上シアン液室７ｃと上イエロー液室９ｃとの間のマゼンタ液室６４を第２室としての上第１マゼンタ液室６４ｅとし、上イエロー液室９ｃの＋Ｙ方向側のマゼンタ液室６４を第２室としての上第２マゼンタ液室６４ｆとする。
【０１０３】
下シアン液室７ａ、中シアン液室７ｂ及び上シアン液室７ｃがシアン液室７であり、下イエロー液室９ａ、中イエロー液室９ｂ、上イエロー液室９ｃがイエロー液室９である。下第１マゼンタ液室６４ａ、下第２マゼンタ液室６４ｂ、中第１マゼンタ液室６４ｃ、中第２マゼンタ液室６４ｄ、上第１マゼンタ液室６４ｅ、上第２マゼンタ液室６４ｆがマゼンタ液室６４である。
【０１０４】
下シアン液室７ａの面積は下イエロー液室９ａの面積と同じ面積である。そして、下第１マゼンタ液室６４ａと下第２マゼンタ液室６４ｂとの和は下シアン液室７ａ及び下イエロー液室９ａと同じ面積になっている。同様に、中シアン液室７ｂの面積は中イエロー液室９ｂの面積と同じ面積になっている。そして、中第１マゼンタ液室６４ｃと中第２マゼンタ液室６４ｄとの和は中シアン液室７ｂ及び中イエロー液室９ｂと同じ面積になっている。さらに、上シアン液室７ｃの面積は上イエロー液室９ｃの面積と同じ面積になっている。そして、上第１マゼンタ液室６４ｅと上第２マゼンタ液室６４ｆとの和は上シアン液室７ｃ及び上イエロー液室９ｃと同じ面積になっている。従って、単位面積にしめるシアン液室７、マゼンタ液室６４及びイエロー液室９の面積比率が同じ比率にしている為、各色の調整をし易くすることができる。
【０１０５】
下第１マゼンタ液室６４ａ〜上第２マゼンタ液室６４ｆは同じ形状になっている。これにより、ステップＳ３の分散液充填工程において下第１マゼンタ液室６４ａ〜上第２マゼンタ液室６４ｆをマゼンタ電気泳動分散液１７が流れるときの流体抵抗を同じにすることができる。従って、マゼンタ液室６４の１つの流体抵抗が小さいときに比べて短時間にマゼンタ電気泳動分散液１７をマゼンタ液室６４に充填することができる。
【０１０６】
シアン液室７及びイエロー液室９に配置された画素電極１５と同様に、マゼンタ液室６４には画素電極６５が配置されている。１つのマゼンタ液室６４には画素電極６５が１４個配置されている。Ｙ方向における画素電極６５の幅は画素電極１５の幅の半分の長さになっている。そして、下シアン液室７ａ、下第１マゼンタ液室６４ａ、下イエロー液室９ａ、下第２マゼンタ液室６４ｂが１つのカラー画素を構成する。シアン色及びイエロー色では１つのカラー画素に対して１つの画素電極１５が設置されている。マゼンタ色では１つのカラー画素に対して２つの画素電極６５が設置されている。そして、シアン色に対応する画素電極１５とマゼンタ色を表示するときの画素電極６５とイエロー色を表示するときの画素電極１５は同じ面積になっている。従って、各色を調整し易くなっている。
【０１０７】
下第１マゼンタ液室６４ａの＋Ｘ方向側の端と接続して第２配管としてのマゼンタ配管６６が設置されている。マゼンタ配管６６は右辺２ｂのマゼンタ第１開口部６７まで延在する。さらに、マゼンタ配管６６は下第１マゼンタ液室６４ａの−Ｘ方向側の端と下第２マゼンタ液室６４ｂの−Ｘ方向側の端とを接続している。さらに、マゼンタ配管６６は下第２マゼンタ液室６４ｂの＋Ｘ方向側の端と中第１マゼンタ液室６４ｃの＋Ｘ方向側の端とを接続している。さらに、マゼンタ配管６６は中第１マゼンタ液室６４ｃの−Ｘ方向側の端と中第２マゼンタ液室６４ｄの−Ｘ方向側の端とを接続している。さらに、マゼンタ配管６６は中第２マゼンタ液室６４ｄの＋Ｘ方向側の端と上第１マゼンタ液室６４ｅの＋Ｘ方向側の端とを接続している。さらに、マゼンタ配管６６は上第１マゼンタ液室６４ｅの−Ｘ方向側の端と上第２マゼンタ液室６４ｆの−Ｘ方向側の端とを接続している。さらに、上第２マゼンタ液室６４ｆの＋Ｘ方向側の端と接続してマゼンタ配管６６が設置されている。マゼンタ配管６６は右辺２ｂのマゼンタ第２開口部６８まで延在する。
【０１０８】
マゼンタ液室６４とマゼンタ配管６６とを加算した長さはシアン液室７とシアン配管３１とを加算した長さより長くなっている。液室６と配管を加算した長さが長い方が電気泳動分散液を充填する時間が長くなる。そして、マゼンタ配管６６はマゼンタ第１開口部６７及びマゼンタ第２開口部６８の２つの開口と接続されており、シアン配管３１は１つのシアン開口部３２と接続されている。従って、マゼンタ液室６４にマゼンタ電気泳動分散液１７を充填する時間がシアン液室７にシアン電気泳動分散液１６を充填する時間より著しく長くなることを抑制することができる。
【０１０９】
接合基板６２の−Ｘ方向側ではシアン配管３１とマゼンタ配管６６とが交差しない配置になっている。接合基板６２の＋Ｘ方向側ではイエロー配管３３とマゼンタ配管６６とが交差しない配置になっている。シアン配管３１は接合基板６２の−Ｘ方向側に設置され、イエロー配管３３は接合基板６２の＋Ｘ方向側に設置されている。これにより、シアン配管３１とイエロー配管３３とは交差しない配置になっている。従って、シアン配管３１、イエロー配管３３及びマゼンタ配管６６はそれぞれ交差しない配置になっている。配管が交差する場所では断面積が狭くなるので流体抵抗が大きくなる。接合基板６２では配管が交差しない配置になっているので短い時間で電気泳動分散液を充填させることができる。
【０１１０】
上述したように、本実施形態によれば、以下の効果を有する。
（１）本実施形態によれば、接合基板６２では配管が交差しない配置になっているので短い時間で電気泳動分散液を充填させることができる。
【０１１１】
（２）本実施形態によれば、単位面積にしめるシアン液室７、マゼンタ液室６４及びイエロー液室９の面積比率が同じ比率になる為、各色の調整をし易くすることができる。
【０１１２】
（３）本実施形態によれば、下第１マゼンタ液室６４ａ〜上第２マゼンタ液室６４ｆは同じ形状になっている為、マゼンタ電気泳動分散液１７を充填させるときの流体抵抗が同じになる。従って、マゼンタ液室６４の１つの流体抵抗が小さいときに比べて短時間にマゼンタ電気泳動分散液１７をマゼンタ液室６４に充填することができる。
【０１１３】
（４）本実施形態によればシアン配管３１には１つのシアン開口部３２が設置され、イエロー配管３３には１つのイエロー開口部３４が設置されている。そして、マゼンタ配管６６にはマゼンタ第１開口部６７及びマゼンタ第２開口部６８が設置されている。従って、マゼンタ液室６４とマゼンタ配管６６とを加算した長さがシアン液室７とシアン配管３１とを加算した長さより長くなるときにもマゼンタ液室６４にマゼンタ電気泳動分散液１７を充填する時間がシアン液室７にシアン電気泳動分散液１６を充填する時間より著しく長くなることを抑制することができる。
【０１１４】
（第４の実施形態）
次に、電気泳動表示装置の一実施形態について図１３〜図１６を用いて説明する。図１３は、電気泳動表示装置の構造を示す模式平面図であり、上部基板３が透過した図になっている。図１４は液室を説明するための要部模式拡大平面図である。図１５は電気泳動表示装置の製造方法のフローチャートであり、図１６は電気泳動表示装置の製造方法を説明するための模式図である。本実施形態が第３の実施形態と異なるところは、液室６では隣り合う画素部１０の間の幅が狭くなっている点にある。尚、第３の実施形態と同じ点については説明を省略する。
【０１１５】
すなわち、本実施形態では、図１３に示すように電気泳動表示装置７１の接合基板７２では下部基板２上に隔壁７３が設置されている。隔壁７３により下部基板２上にはシアン液室７４、マゼンタ液室７５及びイエロー液室７６が区画されている。マゼンタ液室７５はＹ方向の幅がシアン液室７４及びイエロー液室７６の幅の半分の長さであり、マゼンタ液室７５のＸ方向の長さがシアン液室７４及びイエロー液室７６の長さと同じの長さの形状になっている。従って、マゼンタ液室７５の面積はシアン液室７４の面積の半分であり、イエロー液室７６の面積の半分になっている。
【０１１６】
シアン液室７４、マゼンタ液室７５、イエロー液室７６は第３の実施形態のシアン液室７、マゼンタ液室６４、イエロー液室９にそれぞれ対応する。−Ｙ方向側から順に＋Ｙ方向に向かって下シアン液室７４ａ、下第１マゼンタ液室７５ａ、下イエロー液室７６ａ、下第２マゼンタ液室７５ｂが配置されている。さらに、下第２マゼンタ液室７５ｂの＋Ｙ方向側には中シアン液室７４ｂ、中第１マゼンタ液室７５ｃ、中イエロー液室７６ｂ、中第２マゼンタ液室７５ｄがこの順に並んでいる。さらに、中第２マゼンタ液室７５ｄの＋Ｙ方向側には上シアン液室７４ｃ、上第１マゼンタ液室７５ｅ、上イエロー液室７６ｃ、上第２マゼンタ液室７５ｆがこの順に並んでいる。
【０１１７】
下シアン液室７４ａ、中シアン液室７４ｂ及び上シアン液室７４ｃがシアン液室７４であり、下イエロー液室７６ａ、中イエロー液室７６ｂ、上イエロー液室７６ｃがイエロー液室７６である。下第１マゼンタ液室７５ａ、下第２マゼンタ液室７５ｂ、中第１マゼンタ液室７５ｃ、中第２マゼンタ液室７５ｄ、上第１マゼンタ液室７５ｅ、上第２マゼンタ液室７５ｆがマゼンタ液室７５である。
【０１１８】
左辺２ｄにはシアン開口部３２が設置され、シアン開口部３２、下シアン液室７４ａ、中シアン液室７４ｂ、上シアン液室７４ｃがシアン配管３１により接続されている。右辺２ｂにはイエロー開口部３４が設置され、下イエロー液室７６ａ、中イエロー液室７６ｂ、上イエロー液室７６ｃがイエロー配管３３により接続されている。右辺２ｂにはマゼンタ第１開口部６７及びマゼンタ第２開口部６８が設置され、マゼンタ第１開口部６７、マゼンタ第２開口部６８、下第１マゼンタ液室７５ａ〜上第２マゼンタ液室７５ｆがマゼンタ配管６６により接続されている。
【０１１９】
シアン液室７４及びイエロー液室７６では画素電極１５の位置する場所が画素部１０である。隣り合う画素部１０の間はＹ方向の幅が狭い狭部７７になっている。Ｘ方向からみたとき狭部７７の断面積は画素部１０の断面積より狭い。シアン液室７４及びイエロー液室７６では画素部１０と狭部７７とが交互に配置されている。同様に、マゼンタ液室７５では画素電極６５の位置する場所が画素部１０である。隣り合う画素部１０の間はＹ方向の幅が狭い狭部７７になっている。Ｘ方向からみたときマゼンタ液室７５でも狭部７７の断面積は画素部１０の断面積より狭い。マゼンタ液室７５でも画素部１０と狭部７７とが交互に配置されている。
【０１２０】
シアン電気泳動分散液１６、マゼンタ電気泳動分散液１７及びイエロー電気泳動分散液１８は白色荷電粒子２１及び黒色荷電粒子２２を含んでいる。図１４に示すように、白色荷電粒子２１及び黒色荷電粒子２２の直径はＹ方向の狭部７７の幅より長くなっている。これにより、白色荷電粒子２１及び黒色荷電粒子２２は狭部７７を通過しない。一方、シアン色荷電粒子２３、マゼンタ色荷電粒子２５及びイエロー色荷電粒子２６の直径は狭部７７の幅より短くなっている。これにより、シアン色荷電粒子２３、マゼンタ色荷電粒子２５及びイエロー色荷電粒子２６は狭部７７を通過する。これにより、白色荷電粒子２１及び黒色荷電粒子２２が画素部１０間を移動することを防止することができる。
【０１２１】
白色荷電粒子２１及び黒色荷電粒子２２の直径は特に限定されないが、本実施形態では、例えば、０．３μｍ以上３．０μｍ以下になっている。粒子の直径がこの範囲にあるとき、応答性良く粒子の移動を制御することができる。シアン色荷電粒子２３、マゼンタ色荷電粒子２５及びイエロー色荷電粒子２６の粒径も特に限定されないが、本実施形態では、例えば、白色荷電粒子２１及び黒色荷電粒子２２の直径の１０％以下１％以上になっている。粒子の直径がこの範囲にあるとき、白色荷電粒子２１及び黒色荷電粒子２２とは別の動きを色粒子にさせることができる。
【０１２２】
電気泳動表示装置７１のＸ方向に重力加速度が作用するとき、白色荷電粒子２１及び黒色荷電粒子２２に重力が作用する。このとき、白色荷電粒子２１及び黒色荷電粒子２２は画素部１０間を移動しないので、白色荷電粒子２１及び黒色荷電粒子２２が一部の画素部１０に偏ることを防止することができる。一方、シアン色荷電粒子２３、マゼンタ色荷電粒子２５及びイエロー色荷電粒子２６は小さいのでブラウン運動する。従って、白色荷電粒子２１、黒色荷電粒子２２、シアン色荷電粒子２３、マゼンタ色荷電粒子２５及びイエロー色荷電粒子２６の偏りを抑制することができる。
【０１２３】
次に上述した電気泳動表示装置７１の製造方法について図１５及び図１６にて説明する。図１５に示すように、ステップＳ１の隔壁設置工程が行われる。ステップＳ１は第１の実施形態と同様の工程である。ステップＳ１の次にステップＳ１１に移行する。ステップＳ１１は粒子設置工程である。この工程は、画素部１０に白色荷電粒子２１及び黒色荷電粒子２２を設置する工程である。次にステップＳ２の組立工程に移行する。ステップＳ２は第１の実施形態と同様の工程である。ステップＳ２の次にステップＳ１２に移行する。ステップＳ１２は分散液充填工程である。この工程は、液室６に電気泳動分散液を充填する工程である。この工程充填する分散液には白色荷電粒子２１及び黒色荷電粒子２２が含まれず、シアン色荷電粒子２３、マゼンタ色荷電粒子２５またはイエロー色荷電粒子２６の色荷電粒子が含まれる。次に、ステップＳ４の封止工程に移行する。ステップＳ４は第１の実施形態と同様の工程である。以上の工程により電気泳動表示装置７１を製造する工程を終了する。
【０１２４】
次に、図１６を用いてステップＳ１１の粒子設置工程及びステップＳ２の組立工程の製造方法を詳細に説明する。尚、ステップＳ１、ステップＳ１２、ステップＳ４は第１の実施形態と同様の工程であり、詳細の説明を省略する。図１６（ａ）に示すように、ステップＳ１１において下部基板２を用意する。下部基板２には隔壁７３が設置されている。次に、白色荷電粒子２１及び黒色荷電粒子２２が分散媒に分散された溶液を用意する。溶液は蒸発して下部基板２に残らない液体であれば良く純水やアルコールを用いることができる。次に、この溶液を下部基板２に塗布する。塗布方法は溶液が所定の量が均等に塗布されれば良く特に限定されない。本実施形態では、例えば、スピンコーターを用いて溶液を塗布した。次に、溶液を乾燥して溶媒を除去する。その結果画素部１０には白色荷電粒子２１及び黒色荷電粒子２２が設置される。
【０１２５】
図１６（ｂ）〜１６図（ｄ）はステップＳ２の組立工程に対応する図である。図１６（ｂ）に示すように、ステップＳ２において、隔壁７３上に上部基板３を設置する。隔壁７３上に上部基板３を搭載する。次に、下部基板２及び上部基板３を光透過型の治具にて挟んで固定する。続いて、接着層３０に紫外線を照射する。接着層３０は紫外線硬化型の接着剤であり、隔壁７３と上部基板３とが仮固定される。次に、上部基板３が設置された下部基板２を加熱し接着層３０を固化することにより上部基板３が隔壁７３に固定される。以上の工程により、下部基板２と上部基板３とが接合された接合基板７２が完成する。
【０１２６】
図１６（ｃ）は狭部７７に黒色荷電粒子２２が挟まった様子を示す図であり、図１６（ｄ）は画素部１０の様子を示す図である。図１６（ｃ）に示すように、狭部７７に白色荷電粒子２１及び黒色荷電粒子２２が挟まる場合がある。ステップＳ１１において狭部７７の上に白色荷電粒子２１及び黒色荷電粒子２２が乗っている状態になったとき、ステップＳ２にて白色荷電粒子２１及び黒色荷電粒子２２が狭部７７に押し込められる。
【０１２７】
隔壁高さ７３ａをＨ、狭部幅７７ａをＷとする。そして、図１６（ｄ）に示すように、白色荷電粒子直径２１ａ及び黒色荷電粒子直径２２ａをＤとする。そして、白色荷電粒子２１及び黒色荷電粒子２２の体積をＶとする。そして、Ｖ＜Ｄ×Ｗ×Ｈとなるように隔壁高さ７３ａ、狭部幅７７ａ、白色荷電粒子直径２１ａ及び黒色荷電粒子直径２２ａを設定する。これにより、白色荷電粒子２１及び黒色荷電粒子２２がつぶされて狭部７７にて広がったときにも白色荷電粒子２１及び黒色荷電粒子２２は狭部７７を塞がない。従って、シアン色荷電粒子２３、マゼンタ色荷電粒子２５及びイエロー色荷電粒子２６が狭部７７を通過することができる。
【０１２８】
上述したように、本実施形態によれば、以下の効果を有する。
（１）本実施形態によれば、白色荷電粒子２１及び黒色荷電粒子２２はシアン色荷電粒子２３、マゼンタ色荷電粒子２５及びイエロー色荷電粒子２６より大きく狭部７７を通過しない。これにより、白色荷電粒子２１及び黒色荷電粒子２２が画素部１０間を移動することを防止することができる。シアン色荷電粒子２３、マゼンタ色荷電粒子２５及びイエロー色荷電粒子２６は小さいのでブラウン運動する。従って、白色荷電粒子２１及び黒色荷電粒子２２に重力が作用するときにも白色荷電粒子２１及び黒色荷電粒子２２の偏りを抑制することができる。
【０１２９】
（第５の実施形態）
次に、電気泳動表示装置の一実施形態について図１７を用いて説明する。図１７は、電気泳動表示装置の構造を示す模式側断面である。本実施形態が第１の実施形態と異なるところは、画素部１０に白色荷電粒子２１及び色粒子が設置され黒色荷電粒子２２が除去されている点にある。尚、第１の実施形態と同じ点については説明を省略する。
【０１３０】
すなわち、本実施形態では、図１７に示すように電気泳動表示装置８０ではシアン液室７にシアン電気泳動分散液８１が設置される。シアン電気泳動分散液８１では分散媒２４の中に白色荷電粒子２１及びシアン色荷電粒子２３が分散している。マゼンタ液室８にはマゼンタ電気泳動分散液８２が設置される。マゼンタ電気泳動分散液８２では分散媒２４の中に白色荷電粒子２１及びマゼンタ色荷電粒子２５が分散している。イエロー液室９にはイエロー電気泳動分散液８３が設置される。イエロー電気泳動分散液８３では分散媒２４の中に白色荷電粒子２１及びイエロー色荷電粒子２６が分散している。シアン液室７、マゼンタ液室８及びイエロー液室９では画素電極１５と共通電極２９との間に電圧が印加される。そして、画素電極１５と共通電極２９との間の相対電圧を切り替えることにより表示を変更する。
【０１３１】
図１７（ａ）に示すように、画素電極１５に対して共通電極２９を低い電圧にする。このとき、シアン色荷電粒子２３、マゼンタ色荷電粒子２５及びイエロー色荷電粒子２６は負極の電圧に帯電しているので、シアン色荷電粒子２３、マゼンタ色荷電粒子２５及びイエロー色荷電粒子２６は画素電極１５に誘引される。白色荷電粒子２１は正極の電圧に帯電しているので、白色荷電粒子２１は共通電極２９に誘引される。その結果、下部基板２にはシアン色荷電粒子２３、マゼンタ色荷電粒子２５及びイエロー色荷電粒子２６が集合し、上部基板３には白色荷電粒子２１が集合する。上部基板３側から電気泳動表示装置８０を見るとき観察者は上部基板３を通して白色荷電粒子２１を見ることができる。従って、画素部１０は白色の表示となる。
【０１３２】
図１７（ｂ）に示すように、画素電極１５に対して共通電極２９を高い電圧にする。このとき、シアン色荷電粒子２３、マゼンタ色荷電粒子２５及びイエロー色荷電粒子２６は負極の電圧に帯電しているので、シアン色荷電粒子２３、マゼンタ色荷電粒子２５及びイエロー色荷電粒子２６は共通電極２９に誘引される。白色荷電粒子２１は正極の電圧に帯電しているので、白色荷電粒子２１は画素電極１５に誘引される。その結果、下部基板２には白色荷電粒子２１が集合し、上部基板３にはシアン色荷電粒子２３、マゼンタ色荷電粒子２５及びイエロー色荷電粒子２６が集合する。上部基板３側から電気泳動表示装置８０を見るとき観察者は上部基板３を通してシアン色荷電粒子２３、マゼンタ色荷電粒子２５及びイエロー色荷電粒子２６を見ることができる。従って、画素部１０はシアン色、マゼンタ色及びイエロー色が混合した色の表示となる。
【０１３３】
シアン色、マゼンタ色及びイエロー色が混合した色は黒色に近い色になる。シアン液室７、マゼンタ液室８及びイエロー液室９の各室の画素電極１５の電圧を制御することにより各室の色の濃さを制御することができる。このように、画素電極１５と共通電極２９との電位差を制御することにより各画素部１０の色を制御することができる。
【０１３４】
上述したように、本実施形態によれば、以下の効果を有する。
（１）本実施形態によれば、液室６には黒色荷電粒子２２が含まれていないので、黒色荷電粒子２２を制御する必要がない。そして、白色荷電粒子２１、シアン色荷電粒子２３、マゼンタ色荷電粒子２５及びイエロー色荷電粒子２６の粒子を制御するので、画素電極１５と共通電極２９との間の電圧制御を容易にすることができる。
【０１３５】
（第６の実施形態）
次に、電気泳動表示装置を搭載した電子機器の一実施形態について図１８を用いて説明する。図１８（ａ）は電子ブックの構造を示す概略斜視図であり、図１８（ｂ）は腕時計の構造を示す概略斜視図である。図１８（ａ）に示すように、電子機器としての電子ブック８６は板状のケース８７を備えている。ケース８７には蝶番８８を介して蓋部８９が設置されている。さらに、ケース８７には操作ボタン９０と表示部９１とが設置されている。操作者は操作ボタン９０を操作して表示部９１に表示する内容を操作する。
【０１３６】
ケース８７の内部には電子ブック８６を制御する制御部９２と表示部９１を駆動する駆動部９３が設置されている。制御部９２は駆動部９３に表示データを出力する。駆動部９３は表示データを入力して表示部９１を駆動する。そして、駆動部９３は表示部９１に表示データに対応する内容を表示させる。表示部９１には電気泳動表示装置１、電気泳動表示装置５７、電気泳動表示装置６１、電気泳動表示装置７１及び電気泳動表示装置８０のいずれかが用いられている。従って、電子ブック８６は画素部１０の個数が多くなっても生産性良く製造できる電気泳動表示装置を表示部９１に備えた装置とすることができる。
【０１３７】
図１８（ｂ）に示すように、電子機器としての腕時計９６は板状のケース９７を備えている。ケース９７にはバンド９８が設置され、操作者はバンド９８を腕に巻いて腕時計９６を腕に固定する。さらに、ケース９７には操作ボタン９９と表示部１００とが設置されている。操作者は操作ボタン９９を操作して表示部１００に表示する内容を操作する。
【０１３８】
ケース９７の内部には腕時計９６を制御する制御部１０１と表示部１００を駆動する駆動部１０２が設置されている。制御部１０１は駆動部１０２に表示データを出力する。駆動部１０２は表示データを入力して表示部１００を駆動する。そして、駆動部１０２は表示部１００に表示データに対応する内容を表示させる。そして、表示部１００には電気泳動表示装置１、電気泳動表示装置５７、電気泳動表示装置６１、電気泳動表示装置７１及び電気泳動表示装置８０のいずれかが用いられている。従って、腕時計９６は画素部１０の個数が多くなっても生産性良く製造できる電気泳動表示装置を表示部１００に備えた装置とすることができる。
【０１３９】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、液室６に白色荷電粒子２１、黒色荷電粒子２２、シアン色荷電粒子２３、マゼンタ色荷電粒子２５、イエロー色荷電粒子２６を設置した。シアン色荷電粒子２３、マゼンタ色荷電粒子２５、イエロー色荷電粒子２６に換えてレッド色荷電粒子、グリーン色荷電粒子、ブルー色荷電粒子を用いても良い。この場合にも画素部１０をカラー表示することができる。
【０１４０】
（変形例２）
前記第１の実施形態では、１つの液室６の１つの画素部１０に１つの画素電極１５が設置された。１つの液室６の１つの画素部１０に複数の画素電極１５を設置してもよい。表示を細分化することができる。
【０１４１】
（変形例３）
前記第１の実施形態では、白色荷電粒子２１を正極に帯電させて、シアン色荷電粒子２３、マゼンタ色荷電粒子２５、イエロー色荷電粒子２６及び黒色荷電粒子２２を負極に帯電させた。白色荷電粒子２１を負極に帯電させて、シアン色荷電粒子２３、マゼンタ色荷電粒子２５、イエロー色荷電粒子２６及び黒色荷電粒子２２を正極に帯電させても良い。制御しやすい帯電状態にしてもよい。
【０１４２】
（変形例４）
前記第１の実施形態では、下部基板２及び上部基板３の側面にシアン開口部３２、イエロー開口部３４及びマゼンタ開口部３５が設置された。イエロー開口部３４及びマゼンタ開口部３５は上部基板３の＋Ｚ方向側に設置しても良く、下部基板２の−Ｚ方向側に設置しても良い。開口部は製造し易い場所に設置しても良い。このときにも少ない開口部から電気泳動分散液を充填するので生産性良く電気泳動表示装置１を製造することができる。
【０１４３】
（変形例５）
前記第１の実施形態では、シアン開口部３２、イエロー開口部３４及びマゼンタ開口部３５が各１個設置された。液室６の個数が多いときには、シアン開口部３２、イエロー開口部３４及びマゼンタ開口部３５の個数を各２個以上にしても良い。さらに、短時間に電気泳動分散液を充填することができる。尚、変形例１〜５の内容は、前記第２の実施形態〜第５の実施形態にも適用することができる。
【０１４４】
（変形例６）
前記第３の実施形態では、下第１マゼンタ液室６４ａと下第２マゼンタ液室６４ｂとのＹ方向の幅が同じ長さになっていた。下第１マゼンタ液室６４ａと下第２マゼンタ液室６４ｂとのＹ方向の幅を異なる長さにしてもよい。このときに、下第１マゼンタ液室６４ａと下第２マゼンタ液室６４ｂとのＹ方向の幅を加算した長さが下シアン液室７ａ及び下イエロー液室９ａと同じ長さであるのが好ましい。カラー画素のシアン色、マゼンタ色、イエロー色の面積が同じになるので、色調を制御し易くすることができる。尚、変形例６の内容は、前記第４の実施形態にも適用することができる。
【０１４５】
（変形例７）
前記第４の実施形態では、ステップＳ１１の粒子設置工程で狭部７７上に位置する白色荷電粒子２１及び黒色荷電粒子２２をステップＳ２の組立工程で狭部７７に押し入れた。ステップＳ１１において狭部７７上に位置する白色荷電粒子２１及び黒色荷電粒子２２を除去してもよい。例えば、吸引して除去しても良く、静電気を作用させて除去しても良い。他にも、印刷法を用いて白色荷電粒子２１及び黒色荷電粒子２２を画素電極１５及び画素電極６５上に限定して設置しても良い。印刷法を用いるときには、ステップＳ１１にてシアン色荷電粒子２３、マゼンタ色荷電粒子２５及びイエロー色荷電粒子２６も設置しても良い。そして、ステップＳ１２の分散液充填工程では分散媒２４を液室６に充填しても良い。ステップＳ１２の分散液充填工程においてさらに短時間で電気泳動分散液を充填することができる。
【０１４６】
（変形例８）
前記第６の実施形態では、電子ブック８６及び腕時計９６に電気泳動表示装置１、電気泳動表示装置５７、電気泳動表示装置６１、電気泳動表示装置７１及び電気泳動表示装置８０を設置した例を示した。電気泳動表示装置１、電気泳動表示装置５７、電気泳動表示装置６１、電気泳動表示装置７１及び電気泳動表示装置８０は他の電子機器に設置してもよい。血圧、脈拍、血液成分を検出する装置に電気泳動表示装置１、電気泳動表示装置５７、電気泳動表示装置６１、電気泳動表示装置７１及び電気泳動表示装置８０を設置してもよい。このときにも、屋内及び屋外で視認性が良く消費電流が少なく、生産性良く製造できる表示装置を電子機器に設置することができる。
【符号の説明】
【０１４７】
１，５７，６１，７１，８０…電気泳動表示装置、２…第１基板としての下部基板、２ｂ…第２辺としての右辺、２ｄ…第１辺としての左辺、３…第２基板としての上部基板、５…隔壁、７…第１室としてのシアン液室、７ａ…第１室としての下シアン液室、７ｂ…第１室としての中シアン液室、７ｃ…第１室としての上シアン液室、８，６４…第２室としてのマゼンタ液室、８ａ…第２室としての下マゼンタ液室、８ｂ…第２室としての中マゼンタ液室、８ｃ…第２室としての上マゼンタ液室、９…第３室としてのイエロー液室、９ａ…第３室としての下イエロー液室、９ｂ…第３室としての中イエロー液室、９ｃ…第３室としての上イエロー液室、１０…画素部、１６…第１電気泳動分散液としてのシアン電気泳動分散液、１７…第２電気泳動分散液としてのマゼンタ電気泳動分散液、１８…第３電気泳動分散液としてのイエロー電気泳動分散液、２１…白粒子としての白色荷電粒子、２２…黒粒子としての黒色荷電粒子、２３…色粒子としてのシアン色荷電粒子、２５…色粒子としてのマゼンタ色荷電粒子、２６…色粒子としてのイエロー色荷電粒子、２７，６６…第２配管としてのマゼンタ配管、３１…第１配管としてのシアン配管、３２…第１開口部としてのシアン開口部、３３…第３配管としてのイエロー配管、３４…第３開口部としてのイエロー開口部、３５…第２開口部としてのマゼンタ開口部、４８…供給口としての受皿、５２…供給口としての第２受皿、６４ａ…第２室としての下第１マゼンタ液室、６４ｂ…第２室としての下第２マゼンタ液室、６４ｃ…第２室としての中第１マゼンタ液室、６４ｄ…第２室としての中第２マゼンタ液室、６４ｅ…第２室としての上第１マゼンタ液室、６４ｆ…第２室としての上第２マゼンタ液室、７７…狭部、９１，１００…表示部。
【図１】
2016218338.tif 000003
【図２】
2016218338.tif 000004
【図３】
2016218338.tif 000005
【図４】
2016218338.tif 000006
【図５】
2016218338.tif 000007
【図６】
2016218338.tif 000008
【図７】
2016218338.tif 000009
【図８】
2016218338.tif 000010
【図９】
2016218338.tif 000011
【図１０】
2016218338.tif 000012
【図１１】
2016218338.tif 000013
【図１２】
2016218338.tif 000014
【図１３】
2016218338.tif 000015
【図１４】
2016218338.tif 000016
【図１５】
2016218338.tif 000017
【図１６】
2016218338.tif 000018
【図１７】
2016218338.tif 000019
【図１８】
2016218338.tif 000020